(57)【特許請求の範囲】
【請求項１】
次の（Ａ）成分、（Ｂ）成分、（Ｃ）成分、（Ｄ）成分及び水を含有し、（Ｂ）成分に対する（Ｄ）成分の質量比（Ｄ）／（Ｂ）が０．８０以上２以下であり、２０℃でのｐＨが８以上１４未満である、酸化性組成物。
（Ａ）過酸化水素及び水中で過酸化水素を生成する過酸化物からなる群から選択される１以上の化合物
（Ｂ）下記一般式（Ｂ１）で示されるカチオン界面活性剤
【化１】
0006639099.tif 000007
〔式中、Ｒ１ｂ及びＲ２ｂはそれぞれ独立して炭素数１以上３以下のアルキル基又は炭素数１以上３以下のヒドロキシアルキル基であり、Ｒ３ｂは炭素数６以上２２以下の炭化水素基であり、Ｒ４ｂは炭素数１以上３以下のアルキレン基であり、Ｘ−は対イオンである。〕
（Ｃ）アルカリ剤
（Ｄ）下記一般式（Ｄ１）で示される水溶性溶剤
Ｒ１ｄ−Ｏ−［（Ｃ２Ｈ４Ｏ）ｐ／（Ｃ３Ｈ６Ｏ）ｑ］−Ｒ２ｄ    （Ｄ１）
〔式中、Ｒ１ｄ及びＲ２ｄは、それぞれ水素原子、炭素数１以上、６以下の炭化水素基を示すが、Ｒ１ｄ及びＲ２ｄの双方が水素原子となる場合を除く。ｐはＣ２Ｈ４Ｏの平均付加モル数であり０以上、５以下の数を、ｑはＣ３Ｈ６Ｏの平均付加モル数であり０以上、５以下の数を示すが、ｐ及びｑの双方が０である場合を除く。“／”は、Ｃ２Ｈ４ＯとＣ３Ｈ６Ｏがランダム付加でもブロック付加でもよいことを示す記号である。〕
【請求項２】
更に、（Ｅ）炭素数８以上２２以下の脂肪酸又はその塩を含有する、請求項１記載の酸化性組成物。
【請求項３】
界面活性剤総量に対する（Ｄ）成分の質量比（Ｄ）／界面活性剤総量が０．２０以上、１０以下である、請求項１又は２記載の酸化性組成物。
【請求項４】
次の（Ａ）成分、（Ｂ）成分、（Ｃ）成分、（Ｄ）成分、及び水から選択される成分を含む剤の組み合わせからなる酸化性組成物用多剤型物品であって、
全ての剤中の（Ｂ）成分の合計含有量に対する、全ての剤中の（Ｄ）成分の合計含有量の質量比（Ｄ）／（Ｂ）が０．８０以上２以下であり、
（Ａ）成分と（Ｃ）成分が別の剤に配合されており、
該物品から得られる酸化性組成物の２０℃でのｐＨが８以上１４未満である、
酸化性組成物用多剤型物品。
（Ａ）過酸化水素及び水中で過酸化水素を生成する過酸化物からなる群から選択される１以上の化合物
（Ｂ）下記一般式（Ｂ１）で示されるカチオン界面活性剤
【化２】
0006639099.tif 000008
〔式中、Ｒ１ｂ及びＲ２ｂはそれぞれ独立して炭素数１以上３以下のアルキル基又は炭素数１以上３以下のヒドロキシアルキル基であり、Ｒ３ｂは炭素数６以上２２以下の炭化水素基であり、Ｒ４ｂは炭素数１以上３以下のアルキレン基であり、Ｘ−は対イオンである。〕
（Ｃ）アルカリ剤
（Ｄ）下記一般式（Ｄ１）で示される水溶性溶剤
Ｒ１ｄ−Ｏ−［（Ｃ２Ｈ４Ｏ）ｐ／（Ｃ３Ｈ６Ｏ）ｑ］−Ｒ２ｄ    （Ｄ１）
〔式中、Ｒ１ｄ及びＲ２ｄは、それぞれ水素原子、炭素数１以上、６以下の炭化水素基を示すが、Ｒ１ｄ及びＲ２ｄの双方が水素原子となる場合を除く。ｐはＣ２Ｈ４Ｏの平均付加モル数であり０以上、５以下の数を、ｑはＣ３Ｈ６Ｏの平均付加モル数であり０以上、５以下の数を示すが、ｐ及びｑの双方が０である場合を除く。“／”は、Ｃ２Ｈ４ＯとＣ３Ｈ６Ｏがランダム付加でもブロック付加でもよいことを示す記号である。〕
【請求項５】
請求項１〜４の何れか１項記載の酸化性組成物を起泡させた泡状組成物を対象物に直接塗布する工程、及び該対象物を水ですすぐ工程を有する、汚れの除去方法。
【請求項６】
汚れがカビ汚れである、請求項５記載の汚れの除去方法。
【発明の詳細な説明】
【技術分野】
【０００１】
本発明は、酸化性組成物、液体漂白剤物品、液体漂白剤組成物用多剤型物品、泡状漂白剤組成物、及び汚れの除去方法に関する。
【背景技術】
【０００２】
酸化性組成物は、他の物質に対して酸化作用を有する化合物を含む組成物である。この酸化作用は、有色物質に対しては、脱色、漂白、変色などの現象として認識され得るものである。酸化性組成物は、風呂・トイレ・台所等の硬質表面の漂白、カビ取り、衣類の漂白、汚れ・匂い原因物質の分解、除菌、パルプの漂白、繊維の精練などの様々な用途に用いられている。すなわち、硬質表面への適用として、硬質表面の脱色、漂白などの色素の変質に酸化性組成物を用いることが知られている。
【０００３】
生活環境において発生する様々な汚れに対し、外観上の美観維持、衛生などの目的から、洗浄、漂白、除菌などの対処が行なわれている。なかでも、トイレ、浴室、風呂釜、配水管などの洗浄し難い場所の汚れは、界面活性剤などを主成分とした洗浄剤のみでは除去困難であり、しばしば漂白剤が使用されている。一例を挙げると、浴室の浴槽、タイル目地、ドア枠、窓枠、コントローラや、台所の三角コーナーなどの黒ずみ汚れはＣｌａｄｏｓｐｏｒｉｕｍ属細菌等のカビが生産する色素が原因であり、クレンザーや界面活性剤だけでは除去し難いので、次亜塩素酸ナトリウム水溶液の漂白作用により除去する方法が一般に行われている。
【０００４】
しかしながら、次亜塩素酸ナトリウムを使用したカビ取り剤は、漂白及び洗浄性能は優れているが目や皮膚に対する刺激が強く、特有の塩素系の臭いを有し狭い浴室などで使用する場合には注意が必要であり、また、誤って酸性の洗浄剤と混合すると有毒ガスを発生するという問題がある。
【０００５】
このため、このような課題の発生しない酸化性組成物として、酸素系漂白剤を使用したカビ取り剤の提案がされている。例えば、特許文献１には、過酸化水素、アルカリ剤及び漂白活性化剤を併用した硬表面用漂白剤組成物が開示されている。
【０００６】
また、特許文献２には、水に溶解して過酸化水素を発生する過酸化物、キレート剤、銅化合物及びバインダー化合物とからなる高い殺菌・除菌効果を発揮する組成物が開示されている。
【０００７】
また、特許文献３には、過酸化水素と有機系増粘剤と有機キレート剤と水とを含有する高粘度の組成物１と、無機アルカリと有機系増粘剤と漂白活性剤と水とを含有する高粘度の組成物２とを使用時に混合して使用される漂白剤組成物が記載されている。
【０００８】
一方、漂白剤を泡状で漂白対象物に適用することも知られている。例えば、特許文献４には、垂直面に発生したカビ汚れ等に対して、短時間で十分な除去ができる液体漂白剤組成物として、次亜塩素酸アルカリ金属塩、アルカリ金属水酸化物、特定のアミンオキサイド、及び第４級アンモニウム塩型界面活性剤を、特定条件で含有する液体漂白剤組成物が開示されている。
【先行技術文献】
【特許文献】
【０００９】
【特許文献１】特開平３−２２０２９８号公報
【特許文献２】特開２００９−１５５２９２号公報
【特許文献３】特開２００２−８０８９４号公報
【特許文献４】特開２０１０−２３５７２３号公報
【発明の概要】
【発明が解決しようとする課題】
【００１０】
しかしながら、カビ汚れは除去困難な強固な汚れであり、従来提案されている酸素系漂白剤を使用したカビ取り剤は、更なる性能向上が望まれる。
また、特許文献４のように、塩素系の漂白剤組成物を噴霧する技術は知られているが、過酸化水素などを用いた酸素系の漂白剤組成物を泡状で適用する場合の泡特性については、更なる検討が望まれる。
【００１１】
本発明は、カビ汚れなどの除去困難な汚れに対する漂白性能や漂白洗浄性能を向上させた酸素系漂白剤組成物ないし酸素系漂白洗浄剤組成物として好適で、泡特性にも優れる酸化性組成物を提供する。
【課題を解決するための手段】
【００１２】
本発明は、次の（Ａ）成分、（Ｂ）成分、（Ｃ）成分、（Ｄ）成分及び水を含有し、（Ｂ）成分に対する（Ｄ）成分の質量比（Ｄ）／（Ｂ）が０．８０以上１０以下であり、２０℃でのｐＨが８以上１４未満である、酸化性組成物に関する。
（Ａ）過酸化水素及び水中で過酸化水素を生成する過酸化物からなる群から選択される１以上の化合物
（Ｂ）カチオン界面活性剤
（Ｃ）アルカリ剤
（Ｄ）水溶性溶剤
【００１３】
また、本発明は、上記本発明の酸化性組成物を、泡形成機構を有する容器に充填してなる液体漂白剤物品に関する。
【００１４】
また、本発明は、次の（Ａ）成分、（Ｂ）成分、（Ｃ）成分、（Ｄ）成分、及び水から選択される成分を含む剤の組み合わせからなる酸化性組成物用多剤型物品であって、
全ての剤中の（Ｂ）成分の合計含有量に対する、全ての剤中の（Ｄ）成分の合計含有量の質量比（Ｄ）／（Ｂ）が０．８０以上１０以下であり、
２０℃でのｐＨが８以上１４未満であり、
（Ａ）成分と（Ｃ）成分が別の剤に配合されている、
酸化性組成物用多剤型物品に関する。
（Ａ）過酸化水素及び水中で過酸化水素を生成する過酸化物からなる群から選択される１以上の化合物
（Ｂ）カチオン界面活性剤
（Ｃ）アルカリ剤
（Ｄ）水溶性溶剤
【００１５】
また、本発明は、上記本発明の酸化性組成物を起泡させてなる、泡状漂白剤組成物に関する。
【００１６】
また、本発明は、上記本発明の酸化性組成物を起泡させた泡状漂白剤組成物を対象物に直接塗布する工程、及び該対象物を水ですすぐ工程を有する、汚れの除去方法に関する。
【発明の効果】
【００１７】
本発明によれば、カビ汚れなどの除去困難な対象汚れに対して、優れた漂白性能を発現する、漂白剤組成物や漂白洗浄剤組成物として好適な酸化性組成物が提供される。
【発明を実施するための形態】
【００１８】
＜（Ａ）成分＞
（Ａ）成分は、過酸化水素及び水中で過酸化水素を生成する過酸化物からなる群から選択される１以上の化合物である。
【００１９】
水中で過酸化水素を生成する過酸化物としては、無機過酸化物、過酸化水素付加物が挙げられ、好ましくは、過炭酸塩、トリポリリン酸塩・過酸化水素付加物、ピロリン酸塩・過酸化水素付加物、尿素・過酸化水素付加物、硫酸塩・過酸化水素付加物、過ホウ酸塩、過ケイ酸塩、過酸化塩であり、より好ましくは、過炭酸ナトリウム、トリポリリン酸ナトリウム・過酸化水素付加物、ピロリン酸ナトリウム・過酸化水素付加物、尿素・過酸化水素付加物、又は４Ｎａ2ＳＯ4・２Ｈ2Ｏ2、過ホウ酸ナトリウム一水和物、過ホウ酸ナトリウム四水化物、過ケイ酸ナトリウム、過酸化ナトリウム、過酸化カルシウム等である。
【００２０】
（Ａ）成分は、更に好ましくは過酸化水素、過炭酸ナトリウム及び過ホウ酸ナトリウムからなる群から選択される１以上の化合物であり、より更に好ましくは過酸化水素である。
【００２１】
＜（Ｂ）成分＞
（Ｂ）成分は、カチオン界面活性剤である。（Ｂ）成分は、前記一般式（Ｂ１）で表される第４級アンモニウム塩から選択される１以上のカチオン界面活性剤が好ましい。
【化１】
0006639099.tif 000002
【００２２】
〔式中、Ｒ１ｂ及びＲ２ｂはそれぞれ独立して炭素数１以上３以下のアルキル基又は炭素数１以上３以下のヒドロキシアルキル基であり、Ｒ３ｂは炭素数６以上２２以下の炭化水素基であり、Ｒ４ｂは炭素数１以上３以下のアルキレン基であり、Ｘ−は対イオンである。〕
【００２３】
一般式（Ｂ１）中、Ｒ１ｂ及びＲ２ｂはそれぞれ独立して炭素数１以上３以下のアルキル基又は炭素数１以上３以下のヒドロキシアルキル基であり、好ましくは炭素数１以上３以下のアルキル基である。
一般式（Ｂ１）中、Ｒ３ｂは炭素数６以上２２以下の炭化水素基であり、炭化水素基は、アルキル基、アルケニル基に挙げられる。Ｒ３ｂは、好ましくはアルキル基である。
炭素数６以上２２以下の炭化水素基好ましくは炭素数８以上１６以下の炭化水素である。
一般式（Ｂ１）中、Ｒ４ｂは炭素数１以上３以下のアルキレン基であり、好ましくはメチレン基又はエチレン基である。
一般式（Ｂ１）中、Ｘ−は対イオンであり、塩化物イオン、臭化物イオン等のハロゲン化物イオン、炭素数１以上、５以下のアルキル硫酸イオン、炭素数１以上、３以下のアルキル基を置換基として有するアルキル置換ベンゼンスルホン酸イオン及び炭素数６以上、１８以下のアルキルリン酸イオンからなる群から選択される陰イオン基が挙げられる。Ｘ−は、塩化物イオン、臭化物イオン及び炭素数８以上、１８以下のアルキルリン酸イオンからなる群から選択される陰イオン基が好ましい。
【００２４】
＜（Ｃ）成分＞
（Ｃ）成分は、アルカリ剤である。
（Ｃ）成分は、漂白性能を高める観点から、アルカリ金属の水酸化物、アルカリ金属の炭酸塩、アルカリ土類金属の水酸化物、アルカリ土類金属の炭酸塩、モノエタノールアミン、ジエタノールアミン及びトリエタノールアミンからなる群から選択される１以上のアルカリ剤が好ましい。
（Ｃ）成分は、漂白性能を高める観点から、アルカリ金属の水酸化物及びアルカリ金属の炭酸塩からなる群から選択される１以上のアルカリ剤が好ましく、アルカリ金属の水酸化物から選択される１以上のアルカリ剤が好ましい。
（Ｃ）成分は、水酸化ナトリウム、水酸化カリウム、炭酸ナトリウム及び炭酸カリウムからなる群から選択される１以上のアルカリ剤がより好ましく、水酸化ナトリウム及び水酸化カリウムからなる群から選択される１以上のアルカリ剤が更に好ましい。
【００２５】
＜（Ｄ）成分＞
（Ｄ）成分は、水溶性溶剤である。（Ｄ）成分について「水溶性」とは、２０℃の水１００ｇに２ｇ以上溶解することをいう。
【００２６】
（Ｄ）成分としては、（Ｄ１）炭素数１以上、５以下の１価アルコール、（Ｄ２）炭素数２以上、６以下の多価アルコール、（Ｄ３）下記の一般式（Ｄ１）で表される化合物、（Ｄ４）１，３−ジメチル−２−イミダゾリジノン、１，３−ジエチル−２−イミダゾリジノン、並びに（Ｄ５）下記の一般式（Ｄ２）で表される化合物から選ばれる水溶性溶剤が好適である。
【００２７】
Ｒ１ｄ−Ｏ−［（Ｃ２Ｈ４Ｏ）ｐ／（Ｃ３Ｈ６Ｏ）ｑ］−Ｒ２ｄ    （Ｄ１）
〔式中、Ｒ１ｄ及びＲ２ｄは、それぞれ水素原子、炭素数１以上、８以下、好ましくは１以上、６以下の炭化水素基を示すが、Ｒ１ｄ及びＲ２ｄの双方が水素原子となる場合を除く。ｐはＣ２Ｈ４Ｏの平均付加モル数であり０以上、１０以下の数を、ｑはＣ３Ｈ６Ｏの平均付加モル数であり０以上、１０以下の数を示すが、ｐ及びｑの双方が０である場合を除く。“／”は、Ｃ２Ｈ４ＯとＣ３Ｈ６Ｏがランダム付加でもブロック付加でもよいことを示す記号である。〕
Ｒ３ｄＯＣＨ２ＣＨ（ＯＨ）ＣＨ２ＯＨ                    （Ｄ２）
〔式中、Ｒ３ｄは炭素数１以上、８以下のアルキル基を示す。〕
【００２８】
（Ｄ１）の炭素数１以上、５以下の１価アルコールとしては、にエタノール、プロピルアルコール、及びイソプロピルアルコールから選ばれる化合物が挙げられる。これらの低級アルコールを配合することにより泡特性を向上させることができる。
【００２９】
（Ｄ２）の炭素数２以上、６以下の多価アルコールとしては、イソプレングリコール、１，６−ヘキサンジオール、エチレングリコール、プロピレングリコール、ジエチレングリコール、ジプロピレングリコール、グリセリン等が挙げられる。
【００３０】
（Ｄ３）の化合物において、一般式（Ｄ１）中のＲ１ｄ及びＲ２ｄの炭素数１以上、８以下、好ましくは１以上、６以下の炭化水素基としては、アルキル基、アルケニル基、アリール基（フェニル基、ベンジル基等）が挙げられる。
一般式（Ｄ１）において、Ｒ１ｄ、Ｒ２ｄがそれぞれ炭化水素基、好ましくはアルキル基である場合、炭素数は、それぞれ１以上、４以下が好ましい。
また、一般式（Ｄ１）中、Ｃ２Ｈ４Ｏ及びＣ３Ｈ６Ｏの平均付加モル数のｐ及びｑは、それぞれ０以上、１０以下の数である（ｐ及びｑの双方が０である場合を除く）が、これらの付加順序は特に限定されず、ランダム付加したものであってもよい。ｐ及びｑは、それぞれ１以上、５以下の数であることが好ましい。
（Ｄ３）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２以上、３以下）ポリオキシプロピレン（ｑ＝２以上、３以下）ジメチルエーテル、ポリオキシエチレン（ｐ＝３）フェニルエーテル等のポリオキシエチレン（ｐ＝１以上、４以下）モノフェニルエーテル、フェニルカルビトール、フェニルセロソルブ、ベンジルカルビトール等が挙げられる。
これらのうち、漂白・洗浄力及び使用感の観点から、プロピレングリコールモノメチルエーテル、ジエチレングリコールモノブチルエーテル、及びポリオキシエチレン（ｐ＝１以上、４以下）モノフェニルエーテルから選ばれる水溶性溶剤が好ましく、ジエチレングリコールモノブチルエーテル、及びポリオキシエチレン（ｐ＝１以上、４以下）モノフェニルエーテルから選ばれる水溶性溶剤がより好ましく、ジエチレングリコールモノブチルエーテルがより更に好ましい。なお、本発明では、便宜的にｐが１でｑが０又はｐが０でｑが１の場合も、ポリオキシエチレン又はポリオキシプロピレンと表記する。
【００３１】
また、（Ｄ５）の化合物はモノアルキルグリセリルエーテル化合物であり、好ましくは一般式（Ｄ２）中のＲ３ｄが炭素数３以上、８以下のアルキル基の化合物である。
【００３２】
（Ｄ）成分は、疎水性汚れや色素汚れといった複数の汚れに対する漂白力や洗浄力の観点から、好ましくは、（Ｄ１）、（Ｄ２）、（Ｄ３）及び（Ｄ５）から選ばれる水溶性溶剤である。
（Ｄ）成分は、同様の観点から、より好ましくは、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、ジエチレングリコールモノブチルエーテル、ペンチルグリセリルエーテル、オクチルグリセリルエーテル、及びポリオキシエチレン（エチレンオキサイド平均付加モル数１〜４）モノフェニルエーテルから選ばれる水溶性溶剤である。
（Ｄ）成分は、泡特性を向上させる観点から、更に好ましくは、ジエチレングリコールモノブチルエーテル、及びポリオキシエチレン（エチレンオキサイド平均付加モル数１〜４）モノフェニルエーテルから選ばれる水溶性溶剤である。
【００３３】
＜酸化性組成物＞
本発明の酸化性組成物は、漂白性能を高める観点から、（Ａ）成分を、過酸化水素として、０．１質量％以上、更に０．５質量％以上、更に１質量％以上、更に１．５質量％以上、更に２．０質量％以上、更に２．３質量％以上含有することが好ましく、そして、保存安定性の観点から、３０質量％以下、更に２０質量％以下、更に１０質量％以下、更に５質量％以下、更に３質量％以下含有することが好ましい。以下、（Ａ）成分の量は、特記しない限り、過酸化水素としての量をいう。
【００３４】
本発明の酸化性組成物は、漂白性能を高める観点から、（Ｂ）成分を、０．０１質量％以上、更に０．１質量％以上、更に０．５質量％以上、更に１．０質量％以上、更に１．３質量％以上含有することが好ましく、そして、配合安定性を高める観点から、１５質量％以下、更に１０質量％以下、更に５質量％以下、更に３質量％以下、更に２質量％以下、更に１．８質量％以下含有することが好ましい。
【００３５】
本発明の酸化性組成物において、（Ｃ）成分は、使用時のｐＨが、２０℃で１０以上、１３以下となる量を含有することが好ましい。
本発明の酸化性組成物は、漂白性能を高める観点から、（Ｃ）成分を、０．０１質量％以上、更に０．１質量％以上、更に１質量％以上、更に１．５質量％以上、更に１．８質量％以上含有することが好ましく、そして、配合コストの観点から、１０質量％以下、更に５質量％以下、更に３質量％以下、更に２．５質量％以下、更に２質量％以下含有することが好ましい。
【００３６】
本発明の酸化性組成物は、漂白性能を高める観点から、（Ｄ）成分を、０．０１質量％以上、更に０．１質量％以上、更に０．５質量％以上、更に１質量％以上、更に１．５質量％以上含有することが好ましく、そして、配合コストの観点から、２５質量％以下、更に２０質量％以下、更に１０質量％以下、更に５質量％以下、更に３．５質量％以下含有することが好ましい。
【００３７】
本発明の酸化性組成物は、（Ｂ）成分に対する（Ｄ）成分の質量比（Ｄ）／（Ｂ）が０．８以上１０以下である。（Ｄ）／（Ｂ）の質量比は、泡特性を向上させる観点から、０．９以上、更に１以上、更に１．２以上、そして５以下、更に２．５以下、更に２以下が好ましい。
【００３８】
本発明の酸化性組成物は、水を含有する。水は、組成物の残部の量（組成物全体を１００質量％とする量）で用いられるのが好ましい。水の含有量は、５０質量％以上であることが好ましく、更に６０質量％以上、更に７０質量％以上、更に８０質量％以上であることが好ましい。
【００３９】
＜（Ｅ）成分＞
本発明の酸化性組成物は、（Ｅ）成分として、炭素数８以上２２以下の脂肪酸又はその塩を含有することが、泡特性を向上させる観点から好ましい。
（Ｅ）成分としては、カプリル酸、ノナン酸、カプリン酸、ラウリン酸、ミリスチン酸、パルミチン酸、ステアリン酸、オレイン酸、リノール酸、リノレン酸又はその塩等が挙げられる。
（Ｅ）成分は、カプリル酸、ノナン酸、カプリン酸、ラウリン酸が好ましく、カプリン酸、ラウリン酸が好ましい。
【００４０】
本発明の酸化性組成物は、泡特性を向上させる観点から、（Ｅ）成分を０．０１質量％以上、更に０．０５質量％以上、更に０．１質量％以上、更に０．２質量％以上含有することが好ましく、そして配合安定性を向上させる観点から、１０質量％以下、更に５質量％以下、更に２質量％以下、更に１質量％以下、更に０．５質量％以下含有することが好ましい。
【００４１】
＜（Ｆ）成分＞
本発明の酸化性組成物は、（Ｆ）成分として、有機過酸前駆体及び有機過酸からなる群から選択される１以上の化合物を含有することが好ましい。
【００４２】
漂白性能を高める観点と、組成物中での安定性が高い観点とから、（Ｆ）成分としては、下記一般式（Ｆ１）で表される有機過酸前駆体である化合物が好ましい。
【００４３】
【化２】
0006639099.tif 000003
【００４４】
［式中、Ｒ1fは炭素数５以上、１９以下のアルキル基又はアルケニル基、Ｚは、ＳＯ3Ｍ又はＣＯＯＭ、Ｍは陽イオンを示す。］
【００４５】
また、組成物中での安定性を更に高める観点から、一般式（Ｆ１）におけるＲ1fは、好ましくは炭素数７以上であり、更には８以上、更には９以上、更には１０以上である。また、過酸化水素と有効に反応し、効率よく有機過酸を生成するために、一般式（Ｆ１）におけるＲ1fは、炭素数１９以下であり、好ましくは１５以下であり、更には１３以下、更には１１以下である。
【００４６】
組成物中での安定性を更に高め、また、過酸化水素と有効に反応し、効率よく有機過酸を生成するために、一般式（Ｆ１）におけるＲ1fは、炭素数１１であることがより好ましい。また、一般式（Ｆ１）におけるＲ1fは、アルキル基が好ましい。
【００４７】
一般式（Ｆ１）におけるＭの陽イオンとしては、Ｎａ、Ｋ等のアルカリ金属イオン、アンモニウムイオン、炭素数３以上、１５以下、更に炭素数７以上、１５以下のアルキルアンモニウムイオン、モノエタノールアンモニウムイオン、ジエタノールアンモニウムイオン、トリエタノールアンモニウムイオン等が挙げられ、アルカリ金属イオンが好ましい。
【００４８】
本発明の（Ｆ）成分としては、アルカノイル基の炭素数が６以上、２０以下のアルカノイルオキシベンゼンスルホン酸塩及びアルカノイル基の炭素数が６以上、２０以下のアルカノイルオキシベンゼンカルボン酸塩からなる群から選択される１以上の化合物が好ましく、アルカノイル基の炭素数が６以上、２０以下のアルカノイルオキシベンゼンスルホン酸塩がより好ましい。これらのアルカノイル基の炭素数は、１６以下であり、更には１４以下、更には１２以下が好ましい。
【００４９】
本発明の酸化性組成物は、漂白性能を高める観点から、（Ｆ）成分を、０．０１質量％以上、更に０．１質量％以上、更に１質量％以上、更に２質量％以上、更に３質量％以上含有することが好ましく、そして、保存安定性の観点から３０質量％以下、更に２０質量％以下、更に１０質量％以下、更に５質量％以下、更に４質量％以下含有することが好ましい。
【００５０】
（Ｆ）成分の含有量に対する（Ａ）成分の含有量の質量比（Ａ）／（Ｆ）は、漂白性能を高める観点から、０．０１以上、更に０．０５以上、更に０．１以上、更に０．３以上、更に０．５以上が好ましく、そして、５０以下、更に３０以下、更に２０以下、更に１０以下、更に５以下、更に２以下、更に１．５以下、更に１以下が好ましい。
【００５１】
（Ｂ）成分の含有量に対する（Ｆ）成分の含有量の質量比（Ｆ）／（Ｂ）は、漂白性能を高める観点から、０．１以上、更に０．２以上、更に０．５以上、更に１．０以上、更に２．０以上が好ましく、そして、５０以下、更に３０以下、更に２０以下、更に１５以下、更に１０以下、更に５以下、更に３以下が好ましい。
【００５２】
（Ｄ）成分の含有量に対する（Ｆ）成分の含有量の質量比（Ｆ）／（Ｄ）は、漂白性能を高める観点から、０．１以上、更に０．２以上、更に０．３以上、更に０．４以上、更に０．５以上が好ましく、そして、５以下、更に３以下、更に２以下、更に１．５以下、更に１以下、更に０．８以下、更に０．６以下が好ましい。
【００５３】
＜（Ｇ）成分＞
本発明の酸化性組成物は、（Ｇ）成分として、ノニオン界面活性剤を含有することが好ましい。
【００５４】
ノニオン界面活性剤としては、一般式（Ｇ１）で表される化合物及び一般式（Ｇ２）で表される化合物から選ばれる化合物が好ましく、一般式（Ｇ１）で表される化合物がより好ましい。
Ｒ１ｇ−Ｘ−（ＡＯ）ｍ−Ｙ      （Ｇ１）
〔式中、Ｒ１ｇは、直鎖又は分岐鎖の炭素数６以上、２２以下のアルキル基又はアルケニル基及び直鎖又は分岐鎖の炭素数１以上、１８以下のアルキル基で置換されていてもよいアリール基からなる群から選択される基を示す。Ｘは−Ｏ−又は−ＣＯＯ−を示す。Ａは直鎖又は分岐鎖の炭素数２以上、３以下のアルキレン基を示し、ｍ個のＡは同一でも異なっていてもよい。ＹはＨ又は炭素数１以上、３以下のアルキル基を示す。ｍは、ＡＯの平均付加モル数であり、３以上、５０以下の数を示す。〕
Ｒ２ｇ−（ＯＲ３ｇ）ｘＧｙ        （Ｇ２）
〔式中、Ｒ２ｇは炭素数８以上、１８以下の分岐鎖又は直鎖である１価の脂肪族炭化水素基、Ｒ３ｇは炭素数２以上、４以下のアルキレン基、Ｇは還元糖に由来する残基、ｘは平均値で０以上、６以下の数、ｙは平均値で１以上、１０以下の数を示す。〕
【００５５】
一般式（Ｇ１）においてＡ基はエチレン基又はプロピレン基（好ましくはエチレン基）を示すことが好ましいが、これらはブロック型に重合してもよく、ランダム型に重合してもよい。Ｒ１ｇは、直鎖又は分岐鎖の炭素数６以上、１８以下のアルキル基であることが好ましく、Ｘは−Ｏ−が好ましく、ＹはＨであることが好ましい。ｍは、３以上、１５以下であることが好ましい。
【００５６】
一般式（Ｇ２）において、好ましいｘの値は０以上、２以下であり、より好ましくは０である。また、ｙの平均値は好ましくは１以上、５以下、より好ましくは１以上、１．５以下、より更に好ましくは１．１以上、１．４以下である。尚、ｙの測定値はプロトンＮＭＲ法によるものである。好ましい原料は、それらの入手容易性及びコストの点から、単糖類ではグルコース及びフルクトースであり、２糖類以上ではマルトース及びスクロースである。Ｒ２ｇは、直鎖又は分岐鎖の総炭素数８以上、１６以下のアルキル基が好ましい
。
【００５７】
本発明の酸化性組成物は、漂白性能及び保存安定性を高める観点から、（Ｇ）成分を、０．１質量％以上、更に１質量％以上、更に２質量％以上、更に３質量％以上、そして、液の粘度を低くして取り扱いを良好にするために、５０質量％以下、更に３０質量％以下、更に１５質量％以下、更に１０質量％以下、更に７．５質量％以下、更に６質量％以下含有することが好ましい。
【００５８】
本発明の酸化性組成物は、（Ｇ）成分に対する（Ｄ）成分の質量比（Ｄ）／（Ｇ）が、配合安定性の向上の観点から、０．０１以上、更に０．１以上、更に０．３以上、そして、１０以下、更に３以下、更に１以下、更に０．７以下が好ましい。
【００５９】
本発明の酸化性組成物は、組成物中の界面活性剤総量に対する（Ｄ）成分の質量比（Ｄ）／界面活性剤総量が、好ましくは０．２０以上、１０以下である。（Ｄ）／界面活性剤総量の質量比は、泡特性を向上させる観点から、０．２５以上、更に０．３以上、そして、５以下、更に２以下、更に０．５以下が好ましい。この質量比における界面活性剤は、（Ｂ）成分、（Ｅ）成分、（Ｇ）成分、及びこれら以外の界面活性剤である。
【００６０】
＜（Ｈ）成分＞
本発明の酸化性組成物は、（Ｈ）成分として、キレート剤を含有することが好ましい。
【００６１】
（Ｇ）成分は、カルシウムキレート定数（ｐＫＣａ）が４以上、更に４．５以上、更に５以上のキレート剤であることが、組成物の保存安定性の観点から好ましい。ここでｐＫＣａとは、カルシウムイオン電極を用い、キレート剤０．１質量％溶液、ｐＨ１０、２５℃、０．１Ｍ  ＮＨ4Ｃｌ−ＮＨ4ＯＨ緩衝液を用いて測定した値である。
【００６２】
本発明の（Ｈ）成分として用いられるキレート剤の具体例としては、エチレンジアミン４酢酸、ニトリロトリ酢酸、ヒドロキシエチルイミノジ酢酸等のアミノ酸系キレート剤、１−ヒドロキシエチリデン−１，１−ジホスホン酸、エタンヒドロキシ−１，１，２−トリホスホン酸、エタン−１，２−ジカルボキシ−１，２−ジホスホン酸、メタンヒドロキシホスホン酸等のホスホン酸系キレート剤、アクリル酸／マレイン酸コポリマー等のカルボン酸系ポリマー、トリポリリン酸等のポリリン酸系キレート剤を挙げることができる。これらの中でも、ホスホン酸系キレート剤及びカルボン酸系キレート剤からなる群から選択される１以上のキレート剤が好ましい。
【００６３】
本発明の酸化性組成物は、組成物の安定性の観点から、（Ｈ）成分を、好ましくは０．０１質量％以上、更には０．１質量％以上、更には０．１５質量％以上含有する。また、本発明の酸化性組成物は、混合後のｐＨ値をアルカリ性とするために、（Ｈ）成分を、好ましくは３０質量％以下、更には２０質量％以下、更には１０質量％以下、更には５質量％以下、更には３質量％以下、更には１質量％以下、更には０．５質量％以下含有する。
【００６４】
＜その他成分＞
本発明の酸化性組成物は、その他成分として香料、ｐＨ調整剤、可溶化剤、浸透剤、懸濁化剤、研磨剤、顔料等の任意成分[（Ａ）〜（Ｈ）成分に該当するものを除く]を含有すること出来る。
【００６５】
本発明の酸化性組成物は、風呂・トイレ・台所等の硬質表面の漂白、カビ取り、衣類の漂白、汚れ・匂い原因物質の分解、除菌、パルプの漂白、など、ある対象物に対して酸化作用が有用な効果をもたらす様々な用途に用いることができる。なかでも、本発明の酸化性組成物は、漂白用又は漂白洗浄用であることが好ましい。更に、硬質表面の漂白用又は漂白洗浄用であることが好ましい。
【００６６】
本発明の酸化性組成物は、硬質表面用の漂白剤又は硬質表面用の漂白洗浄剤として用いることが好ましい。また、衣料用洗浄剤として用いることも出来、消臭剤、除菌剤、殺菌剤として使用することも好ましい。カビ取り剤として用いることが好ましく、浴室用のカビ取り剤として用いることも好ましい。カビが発生する硬質表面は一般に耐酸化性が高いこと、及び本発明の酸化性組成物が従来技術では除去困難であったカビ汚れに対して顕著な漂白効果を示すことから、本発明の酸化性組成物は、カビ取り剤として用いることが最も好ましい。
【００６７】
本発明の酸化性組成物は、液体組成物、ゲル状組成物など、いずれの形態であってもよい。形態が液体であることが好ましい。
【００６８】
また、本発明の酸化性組成物が液体組成物である場合は、２５℃における粘度が１ｍＰａ・ｓ以上、１０００ｍＰａ・ｓ以下であることが好ましい。粘度は、好ましくは５ｍＰａ・ｓ以上、より好ましくは８ｍＰａ・ｓ以上、更に好ましくは１０ｍＰａ・ｓ以上、更に好ましくは３０ｍＰａ・ｓ以上、更に好ましくは５０ｍＰａ・ｓ以上、そして、好ましくは５００ｍＰａ・ｓ以下、より好ましくは１５０ｍＰａ・ｓ以下、更に好ましくは１００ｍＰａ・ｓ以下、更に好ましくは８０ｍＰａ・ｓ以下である。
なお、本明細書における液体酸化性組成物の２５℃における粘度は、ブルックフィールド型粘度計（Ｂ型粘度計）を用いて２５℃にて測定した粘度を意味する。測定を行う際のローター及び回転数は、フルスケールに近くなるように適宜設定する。
【００６９】
本発明の酸化性組成物は、２０℃でのｐＨが８以上１４未満である。２０℃のｐＨは、好ましくは９以上、より好ましくは１０以上、更に好ましくは１１以上、そして、好ましくは１３以下、より好ましくは１２．８以下、更に好ましくは１２．５以下である。
なお、本明細書における酸化性組成物の２０℃におけるｐＨは、ＪＩＳ  Ｋ３３６２：２００８記載の測定法に準じて測定したものである。
【００７０】
本発明により、（Ａ）成分、（Ｂ）成分、（Ｃ）成分、及び（Ｄ）成分を含有し、（Ｂ）成分に対する（Ｄ）成分の質量比（Ｄ）／（Ｂ）が０．８０以上１０以下であり、２０℃でのｐＨが８以上１４未満である、漂白剤組成物又は漂白洗浄剤組成物が提供される。
また、本発明により、（Ａ）成分、（Ｂ）成分、（Ｃ）成分、（Ｄ）成分、及び水を含有し、（Ｂ）成分に対する（Ｄ）成分の質量比（Ｄ）／（Ｂ）が０．８０以上１０以下であり、２０℃でのｐＨが８以上１４未満である、液体漂白剤組成物又は液体漂白洗浄剤組成物が提供される。
また、本発明により、（Ａ）成分、（Ｂ）成分、（Ｃ）成分、（Ｄ）成分、及び水を含有し、（Ｂ）成分に対する（Ｄ）成分の質量比（Ｄ）／（Ｂ）が０．８０以上１０以下であり、２０℃でのｐＨが８以上１４未満である、硬質表面用液体漂白剤組成物又は硬質表面用液体漂白洗浄剤組成物が提供される。
また、本発明により、（Ａ）成分、（Ｂ）成分、（Ｃ）成分、（Ｄ）成分、及び水を含有し、（Ｂ）成分に対する（Ｄ）成分の質量比（Ｄ）／（Ｂ）が０．８０以上１０以下であり、２０℃でのｐＨが８以上１４未満である、硬質表面用カビ取り剤組成物、更に浴室用カビ取り剤組成物が提供される。
これらの組成物には、本発明の酸化性組成物で述べた事項を適宜適用することができる。
【００７１】
本発明の酸化性組成物は、液体漂白剤組成物又は液体漂白洗浄剤組成物として用いる場合、該組成物をスプレー式容器に充填し、対象物にスプレーして用いることが好ましい。また、前記の多剤型漂白洗浄剤を混合した組成物もスプレーにより対象物に適用することが好ましい。本発明により、本発明の酸化性組成物をスプレー容器に充填してなる漂白洗浄剤物品が提供される。本発明の酸化性組成物は、泡状で対象物に適用する漂白剤又は漂白洗浄剤として使用されるのが好ましい。本発明により、本発明の酸化性組成物を、泡形成機構を有する容器に充填してなる漂白剤又は漂白洗浄剤物品が提供される。
【００７２】
一例として、本発明の酸化性組成物が衣料用液体漂白洗浄剤組成物である場合の好ましい含有量を以下に示す。
衣料用液体漂白洗浄剤組成物中の（Ａ）成分の含有量は、０．１質量％以上、更に１質量％以上、更に１．５質量％以上、そして、３０質量％以下、更に１０質量％以下、更に５質量％以下、更に３質量％以下が好ましい。
また、衣料用液体漂白洗浄剤組成物中の（Ｂ）成分の含有量は、０．１質量％以上、更に０．２質量％以上、更に０．３質量％以上、そして、２０質量％以下、更に１０質量％以下、更に８質量％以下、更に６質量％以下、更に５質量％以下が好ましい。
また、衣料用液体漂白洗浄剤組成物中の（Ｃ）成分の含有量は、０．０１質量％以上、更に０．１質量％以上、更に１質量％以上、そして、１０質量％以下、更に５質量％以下、更に２質量％以下が好ましい。
また、衣料用液体漂白洗浄剤組成物中の（Ｄ）成分の含有量は、０．０１質量％以上、更に０．１質量％以上、更に０．５質量％以上、更に１質量％以上含有することが好ましく、そして、配合コストの観点から、２５質量％以下、更に２０質量％以下、更に１０質量％以下、更に５質量％以下、更に３．５質量％以下含有することが好ましい。
また、（Ｅ）成分を用いる場合、衣料用液体漂白洗浄剤組成物中の（Ｅ）成分の含有量は、０．０１質量％以上、更に０．０５質量％以上、更に０．１質量％以上、更に０．２質量％以上含有することが好ましく、１０質量％以下、更に５質量％以下、更に２質量％以下、更に１質量％以下、更に０．５質量％以下含有することが好ましい。
また、（Ｆ）成分を用いる場合、衣料用液体漂白洗浄剤組成物中の（Ｆ）成分の含有量は、０．０１質量％以上、更に０．１質量％以上、更に１質量％以上、そして、３０質量％以下、更に１０質量％以下、更に５質量％以下、更に４質量％以下が好ましい。
また、（Ｇ）成分を用いる場合、衣料用液体漂白洗浄剤組成物中の（Ｇ）成分の含有量は、０．１質量％以上、更に１質量％以上、更に４質量％以上、そして、５０質量％以下、更に３０質量％以下、更に１５質量％以下が好ましい。
また、（Ｈ）成分を用いる場合、衣料用液体漂白洗浄剤組成物中の（Ｈ）成分の含有量は、０．０１質量％以上、更に０．１質量％以上、更に０．１５質量％以上、そして、３０質量％以下、更に２０質量％以下、更に１０質量％以下、更に５質量％以下、更に１質量％以下、更に０．５質量％以下が好ましい。
これらの含有量は、本発明の酸化性組成物が、衣料用液体漂白剤組成物である場合にも同様に適用できる。
【００７３】
一例として、本発明の酸化性組成物が、硬質表面用漂白洗浄剤組成物である場合の好ましい含有量を以下に示す。
硬質表面用漂白洗浄剤組成物中の（Ａ）成分の含有量は、更に０．１質量％以上、更に１質量％以上、更に１．５質量％以上、そして、３０質量％以下、更に１０質量％以下、更に５質量％以下、更に３質量％以下、が好ましい。
硬質表面用漂白洗浄剤組成物中の（Ｂ）成分の含有量は、０．０５質量％以上、更に０．１質量％以上、更に０．２質量％以上、そして、１５質量％以下、更に１０質量％以下、更に８質量％以下、更に５質量％以下、更に２質量％以下が好ましい。
また、硬質表面用漂白洗浄剤組成物中の（Ｃ）成分の含有量は、０．０１質量％以上、更に０．１質量％以上、更に１質量％以上、そして、１０質量％以下、更に５質量％以下、更に２質量％以下が好ましい。
また、硬質表面用漂白洗浄剤組成物中の（Ｄ）成分の含有量は、０．０１質量％以上、更に０．１質量％以上、更に０．５質量％以上、更に質量１％以上含有することが好ましく、そして、配合コストの観点から、２５質量％以下、更に２０質量％以下、更に１０質量％以下、更に５質量％以下、更に３．５質量％以下含有することが好ましい。
また、（Ｅ）成分を用いる場合、硬質表面用漂白洗浄剤組成物中の（Ｅ）成分の含有量は、０．０１質量％以上、更に０．０５質量％以上、更に０．１質量％以上、更に０．２質量％以上含有することが好ましく、１０質量％以下、更に５質量％以下、更に２質量％以下、更に１質量％以下、更に０．５質量％以下含有することが好ましい。
また、（Ｆ）成分を用いる場合、硬質表面用漂白洗浄剤組成物中の（Ｆ）成分の含有量は、０．０１質量％以上、更に０．１質量％以上、更に１質量％以上、更に２質量％以上、そして、３０質量％以下、更に１０質量％以下、更に５質量％以下が好ましい。
また、（Ｇ）成分を用いる場合、硬質表面用漂白洗浄剤組成物中の（Ｇ）成分の含有量は、０．１質量％以上、更に１質量％以上、更に４質量％以上、そして、５０質量％以下、更に３０質量％以下、更に１５質量％以下が好ましい。
また、（Ｈ）成分を用いる場合、硬質表面用漂白洗浄剤組成物中の（Ｈ）成分の含有量は、０．０１質量％以上、更に０．１質量％以上、更に０．１５質量％以上、そして、３０質量％以下、更に２０質量％以下、更に１０質量％以下、更に５質量％以下、更に１質量％以下、更に０．５質量％以下が好ましい。
これらの含有量は、本発明の酸化性組成物が、硬質表面用漂白剤組成物、カビ取り剤組成物又は浴室用カビ取り剤組成物である場合にも同様に適用できる。
【００７４】
＜酸化性組成物用多剤型物品＞
本発明では、（Ａ）成分、（Ｂ）成分、（Ｃ）成分、（Ｄ）成分を使用直前に混合して本発明の組成物を調製してもよい。（Ａ）成分の安定性を考慮すると、（Ａ）成分と（Ｃ）成分とを分離した状態で保持しておき、使用直前に（Ａ）成分、（Ｂ）成分、（Ｃ）成分、（Ｄ）成分を混合することが好ましい。このような使用形態を考慮した場合、（Ａ）成分、（Ｂ）成分、（Ｃ）成分、（Ｄ）成分、及び水から選択される成分を含む剤の組み合わせからなり、（Ａ）成分と（Ｃ）成分が別の剤に配合されている、酸化性組成物用多剤型物品は好適である。
【００７５】
本発明の酸化性組成物用多剤型物品として、
前記（Ａ）成分、（Ｂ）成分、（Ｃ）成分、（Ｄ）成分、及び水から選択される成分を含む剤の組み合わせからなる酸化性組成物用多剤型物品であって、
全ての剤中の（Ｂ）成分の合計含有量に対する、全ての剤中の（Ｄ）成分の合計含有量の質量比（Ｄ）／（Ｂ）が０．８０以上１０以下であり、
（Ａ）成分と（Ｃ）成分が別の剤に配合されており、
該物品から得られる酸化性組成物の２０℃でのｐＨが８以上１４未満である、
酸化性組成物用多剤型物品が挙げられる。
【００７６】
本発明の酸化性組成物用多剤型物品のより具体的な例として、
前記（Ａ）成分、（Ｂ）成分、（Ｃ）成分、（Ｄ）成分、及び水から選択される成分を含む剤の組み合わせからなる漂白剤組成物用多剤型物品であって、
全ての剤中の（Ｂ）成分の合計含有量に対する、全ての剤中の（Ｄ）成分の合計含有量の質量比（Ｄ）／（Ｂ）が０．８０以上１０以下であり、
（Ａ）成分と（Ｃ）成分が別の剤に配合されており、
該物品から得られる漂白剤組成物の２０℃でのｐＨが８以上１４未満である、
漂白剤組成物用多剤型物品が挙げられる。
【００７７】
また、本発明の酸化性組成物用多剤型物品のより具体的な例として、
前記（Ａ）成分、（Ｂ）成分、（Ｃ）成分、（Ｄ）成分、及び水から選択される成分を含む剤の組み合わせからなる漂白洗浄剤組成物用多剤型物品であって、
全ての剤中の（Ｂ）成分の合計含有量に対する、全ての剤中の（Ｄ）成分の合計含有量の質量比（Ｄ）／（Ｂ）が０．８０以上１０以下であり、
（Ａ）成分と（Ｃ）成分が別の剤に配合されており、
該物品から得られる漂白洗浄剤組成物の２０℃でのｐＨが８以上１４未満である、
漂白洗浄剤組成物用多剤型物品が挙げられる。
【００７８】
なお、多剤型物品は、１つ１つの剤が独立した物品となっている形態（例えばキットなど）や１つ１つの剤を１つの物品にまとめた形態（例えば２剤型スプレー式物品など）など、種々の形態であってよい。これら酸化性組成物用多剤型物品は、（Ａ）成分、（Ｂ）成分、（Ｃ）成分、（Ｄ）成分、及び水を混合して本発明の酸化性組成物、更に本発明の漂白剤組成物、本発明の漂白洗浄剤組成物を調製するために好適である。
【００７９】
本発明の酸化性組成物用多剤型物品の一例として、（Ａ）成分、及び水を含有する第１の液体組成物からなる第１の剤と、（Ｂ）成分、（Ｃ）成分、（Ｄ）成分及び水を含有する第２の液体組成物からなる第２の剤との組み合わせを含み、前記第１の剤と第２の剤とを分離した状態で保持し、第１の剤と第２の剤が混合されて、（Ａ）成分、（Ｂ）成分、（Ｃ）成分、（Ｄ）成分、及び水を含有する酸化性組成物が調製される、酸化性組成物用多剤型物品が挙げられる。
【００８０】
本発明の漂白剤組成物用多剤型物品又は漂白洗浄剤組成物用多剤型物品では、少なくとも（Ａ）成分と（Ｃ）成分を分けて保持し、使用時に（Ａ）成分、（Ｂ）成分、（Ｃ）成分、（Ｄ）成分、及び水を混合して用いることが好ましい。また、本発明の漂白剤組成物用多剤型物品又は漂白洗浄剤組成物用多剤型物品では、（Ａ）成分を含有する剤と、（Ｂ）成分、（Ｃ）成分及び（Ｄ）成分を含有する剤とを含むことが好ましい。
【００８１】
また、本発明の漂白剤組成物用多剤型物品又は漂白洗浄剤組成物用多剤型物品では、内容物の安定性を高めるために、（Ａ）成分を含有する剤と、（Ｂ）成分、（Ｃ）成分及び（Ｄ）成分を含有する剤の２剤に分けて保持し、使用時に混合して用いることがより好ましい。
【００８２】
本発明の漂白剤組成物用多剤型物品の一例として、（Ａ）成分、及び水を含有する第１の液体組成物からなる第１の剤と、（Ｂ）成分、（Ｃ）成分、（Ｄ）成分及び水を含有する第２の液体組成物からなる第２の剤との組み合わせを含む漂白剤組成物用多剤型物品であって、前記第１の剤と第２の剤とを分離した状態で保持し、第１の剤と第２の剤が混合されて、（Ａ）成分、（Ｂ）成分、（Ｃ）成分、（Ｄ）成分、及び水を含有する漂白剤組成物が調製される、漂白剤組成物用多剤型物品（以下、漂白剤組成物用多剤型物品１という）が挙げられる。
【００８３】
この漂白剤組成物用多剤型物品１では、第１の剤中の（Ａ）成分の含有量は、０．０２質量％以上、更に０．２質量％以上、更に２質量％以上が好ましく、そして、５０質量％以下、更に２０質量％以下、更に１０質量％、更に５質量％以下が好ましい。また、この漂白剤組成物用多剤型物品１は、（Ｆ）成分を含有することが好ましく、第１の剤中の（Ｆ）成分の含有量は、０．０２質量％以上、更に０．２質量％以上、更に２質量％以上、更に３質量％以上が好ましく、そして、５０質量％以下、更に３０質量％以下、更に１０質量％以下が好ましい。水は残部となる量で用いられる。第１の液体組成物のｐＨは、２０℃で、１以上、更に２以上、更２．５以上、そして、５以下、更に４以下、更に３．５以下であることが好ましい。
【００８４】
また、この漂白剤組成物用多剤型物品１では、第２の剤中の（Ｂ）成分の含有量は、０．０５質量％以上、更に０．１質量％以上、更に０．３質量％以上が好ましく、そして、２０質量％以下、更に１５質量％以下、更に１０質量％、更に８質量％以下が好ましい。第１の剤は、（Ａ）成分を含有しないことが好ましい。第１の液体組成物のｐＨは、２０℃で、１１以上、更に１２以上、更に１３以上、そして、１３．８以下、更に１３．６以下であることが好ましい。漂白剤組成物用多剤型物品１では、（Ｃ）成分を用いて第２の液体組成物のｐＨを前記範囲に調整することが好ましい。従って、第２の液体組成物は、（Ｃ）成分を含有することが好ましい。この漂白剤組成物用多剤型物品１では、第２の剤中の（Ｃ）成分の含有量は、０．０１質量％以上、更に０．１質量％以上、更に１質量％以上が好ましく、そして、５０質量％以下、更に２０質量％以下、更に１０質量％、更に５質量％以下が好ましい。また、この漂白剤組成物用多剤型物品１では、第２の剤中の（Ｄ）成分の含有量は、０．０１質量％以上、更に０．１質量％以上、更に１質量％以上が好ましく、そして、３０質量％以下、更に２０質量％以下、更に１０質量％、更に７質量％以下が好ましい。
【００８５】
本発明の漂白洗浄剤組成物用多剤型物品の一例として、（Ａ）成分、及び水を含有する第１の液体組成物からなる第１の剤と、（Ｂ）成分、（Ｃ）成分、（Ｄ）成分及び水を含有する第２の液体組成物からなる第２の剤との組み合わせを含む漂白洗浄剤組成物用多剤型物品であって、前記第１の剤と第２の剤とを分離した状態で保持し、前記第１の剤と第２の剤とを分離した状態で保持し、第１の剤と第２の剤が混合されて、（Ａ）成分、（Ｂ）成分、（Ｃ）成分、（Ｄ）成分、及び水を含有する漂白洗浄剤組成物が調製される、漂白洗浄剤組成物用多剤型物品（以下、漂白洗浄剤組成物用多剤型物品１という）が挙げられる。この漂白洗浄剤組成物用多剤型物品１においても、第１の剤中の（Ａ）成分の含有量、第２の剤中の（Ｂ）成分の含有量、第２の剤中の（Ｃ）成分の含有量、第２の剤中の（Ｄ）成分の含有量、第１の剤のｐＨ、第２の剤のｐＨは、それぞれ、前記漂白剤組成物用多剤型物品１で述べた範囲が適用できる。また、何れの剤においても、水は残部となる量で用いられる。また、第１の剤は、（Ａ）成分を含有しないことが好ましい。
【００８６】
これらの漂白剤組成物用多剤型物品１又は漂白洗浄剤組成物用多剤型物品１では、第２の剤が（Ｅ）成分を含有することが好ましい。第２の剤が（Ｅ）成分を含有する場合、第２の剤中の（Ｅ）成分の含有量は、０．０１質量％以上、更に０．１質量％以上、更に０．２質量％以上、更に０．３質量％以上、更に０．４質量％以上が好ましく、そして、１０質量％以下、更に５質量％以下、更に２質量％以下が好ましい。なお、第１の剤が（Ｅ）成分を含有することもできる。その場合、第１の剤中の（Ｅ）成分の含有量は、０．０１質量％以上、更に０．１質量％以上、更に０．２質量％以上、更に０．３質量％以上、更に０．４質量％以上が好ましく、そして、１０質量％以下、更に５質量％以下、更に２質量％以下が好ましい。
【００８７】
これらの漂白剤組成物用多剤型物品１又は漂白洗浄剤組成物用多剤型物品１では、第１の剤が（Ｆ）成分を含有することが好ましい。第１の剤が（Ｆ）成分を含有する場合、２１の剤中の（Ｆ）成分の含有量は、０．０２質量％以上、更に０．２質量％以上、更に２質量％以上、更に５質量％以上が好ましく、そして、３０質量％以下、更に２０質量％以下、更に１５質量％以下、更に１０質量％以下が好ましい。
【００８８】
これらの漂白剤組成物用多剤型物品１又は漂白洗浄剤組成物用多剤型物品１では、第１の剤及び第２の剤の少なくとも一方が（Ｇ）成分を含有することが好ましく、少なくとも第１の剤が（Ｇ）成分を含有することが好ましい。第１の剤及び第２の剤の両方が（Ｇ）成分を含有することもできる。第１の剤が（Ｇ）成分を含有する場合、第１の剤中の（Ｇ）成分の含有量は、０．０５質量％以上、更に０．１質量％以上、更に０．２質量％以上、更に１質量％以上、更に５質量％以上が好ましく、そして、２０質量％以下、更に１０質量％以下、更に８質量％以下が好ましい。また、第２の剤が（Ｇ）成分を含有する場合、第２の剤中の（Ｇ）成分の含有量は、０．０１質量％以上、更に０．１質量％以上、更に０．５質量％以上が好ましく、そして、５０質量％以下、更に３０質量％以下、更に１０質量％以下が好ましい。
また、第２の剤が（Ｈ）成分を含有する場合、第２の剤中の（Ｈ）成分の含有量は、０．０５質量％以上、更に０．１質量％以上、更に０．２質量％以上が好ましく、そして、１０質量％以下、更に５質量％以下、更に２質量％以下が好ましい。
【００８９】
また、これらの漂白剤組成物用多剤型物品１又は漂白洗浄剤組成物用多剤型物品１では、第１の剤が（Ｈ）成分を含有することが好ましい。その場合、第１の剤中の（Ｈ）成分の含有量は、０．０１質量％以上、更に０．１質量％以上、更に０．３質量％以上が好ましく、そして、２．０質量％以下、更に１．０質量％以下、更に０．５質量％以下が好ましい。
【００９０】
漂白剤組成物用多剤型物品１又は漂白洗浄剤組成物用多剤型物品１のような本発明の多剤型物品では、（Ｇ）成分、（Ｈ）成分は、第１、第２の液体組成物の何れに配合してもよいが、それぞれが、少なくとも第１の液体組成物に配合されていることが好ましい。
【００９１】
本発明の漂白剤組成物用多剤型物品又は漂白洗浄剤組成物用多剤型物品が、前記のような２剤型である場合には、第１の剤と第２の剤を分離して収容する収容部と各収容部から内容物を噴霧する２つのスプレー手段とを備えた容器を用いた２剤型スプレー式漂白剤物品又は２剤型スプレー式漂白洗浄剤物品であることが好ましい。この形態のスプレー物品では、それぞれの収容部から排出される第１の液体組成物と第２の液体組成物が噴出直後に合一されて混合した状態で対象物に噴射されることが好ましい。更には、泡状で対象物に噴射されることが好ましい。従って、それぞれのスプレー口から噴射された内容物が混合されて対象物に付着するよう、スプレー口の開口方向の角度を調整することが好ましい。２剤型スプレー式漂白剤物品又は２剤型スプレー式漂白洗浄剤物品である場合には、スプレーから噴出する前に液が接しないように、２個のスプレー口を有する容器が好ましい。また、噴出した液が先端部分で固化することを防止するために、２個のスプレー口の間隔は０．０１ｍｍ以上、好ましくは０．１ｍｍ以上、より好ましくは１ｍｍ以上、更に好ましくは３ｍｍ以上であることが好ましく、噴出した液が混合しやすくするために、１０ｍｍ以下、更には８ｍｍ以下、更には５ｍｍ以下であることが好ましい。
【００９２】
本発明は、
（Ａ）成分、及び水を含有する第１の液体組成物からなる第１の剤と、（Ｂ）成分、（Ｃ）成分、（Ｄ）成分、及び水を含有する第２の液体組成物からなる第２の剤とを含んで構成される２剤型スプレー式漂白剤物品であって、
全ての剤中の（Ｂ）成分の合計含有量に対する、全ての剤中の（Ｄ）成分の合計含有量の質量比（Ｄ）／（Ｂ）が０．８０以上１０以下であり、
該物品から得られる漂白剤の２０℃でのｐＨが８以上１４未満であり、
前記第１の剤が収容された第１の収容部と、
前記第２の剤が収容された第２の収容部と、
泡形成機構を有するスプレー手段と、
を有し、
前記第１の収容部と前記第２の収容部により、前記第１の液体組成物と前記第２の液体組成物が分離されており、
前記スプレー手段がスプレー口を有し、
前記第１の液体組成物と前記第２の液体組成物が混合後に噴射するよう前記スプレー口が設けられており、
２剤型スプレー式漂白剤物品を提供する。
【００９３】
また本発明は、
（Ａ）成分、及び水を含有する第１の液体組成物からなる第１の剤と、（Ｂ）成分、（Ｃ）成分、（Ｄ）成分、及び水を含有する第２の液体組成物からなる第２の剤とを含んで構成される２剤型スプレー式漂白剤物品であって、
全ての剤中の（Ｂ）成分の合計含有量に対する、全ての剤中の（Ｄ）成分の合計含有量の質量比（Ｄ）／（Ｂ）が０．８０以上１０以下であり、
該物品から得られる漂白剤の２０℃でのｐＨが８以上１４未満であり、
前記第１の剤が収容された第１の収容部と、
前記第２の剤が収容された第２の収容部と、
スプレー口を有し、前記第１の収容部から前記第１の液体組成物を噴霧する第１のスプレー手段と、
スプレー口を有し、前記第２の収容部から前記第２の液体組成物を噴霧する第２のスプレー手段と、
を備え、
前記第１の収容部と前記第２の収容部により、前記第１の液体組成物と前記第２の液体組成物が分離されており、
前記第１のスプレー手段のスプレー口と前記第２のスプレー手段のスプレー口が、前記第１の液体組成物と前記第２の液体組成物が噴射後に混合されるよう、設けられており、
前記第１のスプレー手段と前記第２のスプレー手段の少なくとも一方が泡形成機構を有する、
２剤型スプレー式漂白剤物品を提供する。
【００９４】
これらの２剤型スプレー式漂白剤物品においても、第１の液体組成物中の（Ａ）成分の含有量、第２の液体組成物中の（Ｂ）成分の含有量、第２の液体組成物中の（Ｃ）成分の含有量、第２の液体組成物中の（Ｄ）成分の含有量、第１の液体組成物のｐＨ、第２の液体組成物のｐＨは、それぞれ、前記漂白剤組成物用多剤型物品１で述べた範囲が適用できる。また、何れの液体組成物においても、水は残部となる量で用いられる。また、第２の剤は、（Ａ）成分を含有しないことが好ましい。
【００９５】
本発明は、
（Ａ）成分、及び水を含有する第１の液体組成物からなる第１の剤と、（Ｂ）成分、（Ｃ）成分、（Ｄ）成分、及び水を含有する第２の液体組成物からなる第２の剤とを含んで構成される２剤型スプレー式漂白洗浄剤物品であって、
全ての剤中の（Ｂ）成分の合計含有量に対する、全ての剤中の（Ｄ）成分の合計含有量の質量比（Ｄ）／（Ｂ）が０．８０以上１０以下であり、
該物品から得られる漂白洗浄剤の２０℃でのｐＨが８以上１４未満であり、
前記第１の剤が収容された第１の収容部と、
前記第２の剤が収容された第２の収容部と、
泡形成機構を有するスプレー手段と、
を有し、
前記第１の収容部と前記第２の収容部により、前記第１の液体組成物と前記第２の液体組成物が分離されており、
前記スプレー手段がスプレー口を有し、
前記第１の液体組成物と前記第２の液体組成物が混合後に噴射するよう前記スプレー口が設けられており、
２剤型スプレー式漂白洗浄剤物品を提供する。
【００９６】
また、本発明は、
（Ａ）成分、及び水を含有する第１の液体組成物からなる第１の剤と、（Ｂ）成分、（Ｃ）成分、（Ｄ）成分、及び水を含有する第２の液体組成物からなる第２の剤とを含んで構成される２剤型スプレー式漂白洗浄剤物品であって、
全ての剤中の（Ｂ）成分の合計含有量に対する、全ての剤中の（Ｄ）成分の合計含有量の質量比（Ｄ）／（Ｂ）が０．８０以上１０以下であり、
該物品から得られる漂白洗浄剤の２０℃でのｐＨが８以上１４未満であり、
前記第１の剤が収容された第１の収容部と、
前記第２の剤が収容された第２の収容部と、
スプレー口を有し、前記第１の収容部から前記第１の液体組成物を噴霧する第１のスプレー手段と、
スプレー口を有し、前記第２の収容部から前記第２の液体組成物を噴霧する第２のスプレー手段と、
を備え、
前記第１の収容部と前記第２の収容部により、前記第１の液体組成物と前記第２の液体組成物が分離されており、
前記第１のスプレー手段のスプレー口と前記第２のスプレー手段のスプレー口が、前記第１の液体組成物と前記第２の液体組成物が噴射後に混合されるよう、設けられており、
前記第１のスプレー手段と前記第２のスプレー手段の少なくとも一方が泡形成機構を有する、
２剤型スプレー式漂白洗浄剤物品を提供する。
【００９７】
これらの２剤型スプレー式漂白洗浄剤物品においても、第１の液体組成物中の（Ａ）成分の含有量、第２の液体組成物中の（Ｂ）成分の含有量、第２の液体組成物中の（Ｃ）成分の含有量、第２の液体組成物中の（Ｄ）成分の含有量、第１の液体組成物のｐＨ、第２の液体組成物のｐＨは、それぞれ、前記漂白剤組成物用多剤型物品１で述べた範囲が適用できる。また、何れの液体組成物においても、水は残部となる量で用いられる。また、第２の剤は、（Ａ）成分を含有しないことが好ましい。
また、２剤型スプレー式漂白洗浄剤物品において、特開２０１４−１２９１１９記載の２液混合トリガー容器を用いることができる。
【００９８】
上記の２剤型スプレー式漂白剤物品及び２剤型スプレー式漂白洗浄剤物品において、泡形成機構としては、好ましくはスピンエレメント及び直径４ｍｍ以上、８ｍｍ以下の円形状の空間部分に棒状の突起を数個設置された液体通過板を有するものが好適である。ここでスピンエレメントとは、スピンエレメントを通じて液状物の流れにスピンを与え、最後にノズルから噴出する機構であり、その詳細な構造としては特開平８−３３２４２２号公報や特開平８−１０８１０２号公報の図４（ｂ）、特開２００２−６８２６５号公報の図１などを参考にすることができる。
【００９９】
泡形成機構のもう一つの部材である液体通過板は、直径４ｍｍ以上、８ｍｍ以下の円形状の空間部分に棒状の突起が好ましくは３個以上、８個以下設置されたものであり、通過する板を平面で見た場合に、好ましくは幅０．８ｍｍ以上、１．２ｍｍ以下、長さ２ｍｍ以上、４ｍｍ以下の長方形状の棒状の突起が好適である。また、棒状の突起を除いた空間部分に対する棒状の突起の占める面積は３０面積％以上、更に４０面積％以上、そして、９０面積％以下、更に８０面積％以下、更に７０面積％以下が好適であり、このような液体通過板を設置することで、垂直表面への泡の付着滞留性が良好になる。
【０１００】
なお、漂白剤組成物用多剤型物品、漂白洗浄剤組成物用多剤型物品、２剤型スプレー式漂白剤物品、２剤型スプレー式漂白洗浄剤物品で述べた事項は、他の酸化剤組成物を用いた物品（例えばカビ取り剤）に適用できる。従って、例えば、前記の漂白剤組成物用多剤型物品や漂白洗浄剤組成物用多剤型物品を、カビ取り剤用多剤型物品として、また、２剤型スプレー式漂白剤物品や２剤型スプレー式漂白洗浄剤物品を、２剤型スプレー式カビ取り剤物品として用いることができる。
【０１０１】
本発明の酸化性組成物用多剤型物品では、何れの態様においても、全ての剤中の界面活性剤総量に対する、全ての剤中の（Ｄ）成分の合計含有量の質量比（Ｄ）／界面活性剤総量を、本発明の酸化性組成物で述べた範囲とすることができる。
【０１０２】
本発明の液体酸化性組成物用多剤型物品から調製される組成物には、本発明の液体酸化性組成物で述べた事項を適宜適用することができる。
【０１０３】
＜漂白方法＞
本発明の酸化性組成物を漂白目的で使用する場合、（Ａ）成分、（Ｂ）成分、（Ｃ）成分、（Ｄ）成分、及び水を含有する漂白用液体組成物を漂白対象物に接触させることが好ましい。漂白用液体組成物は、本発明の酸化性組成物又は本発明の酸化性組成物を濃度調整して調製したものが用いられ、前記のような酸化性組成物用多剤型物品から調製することもできる。なお、この漂白用液体組成物もまた酸化性組成物である。
【０１０４】
漂白対象物が硬質表面である場合、漂白用液体組成物中の（Ａ）成分の含有量は、０．１質量％以上、更に１質量％以上、更に１．５質量％以上、そして、３０質量％以下、更に１０質量％以下、更に５質量％以下、更に３質量％以下が好ましい。
また、漂白用液体組成物中の（Ｂ）成分の含有量は、０．０５質量％以上、更に０．１質量％以上、更に０．２質量％以上、そして、１５質量％以下、更に１０質量％以下、更に８質量％以下、更に５質量％以下、更に２質量％以下が好ましい。
また、漂白用液体組成物中の（Ｃ）成分の含有量は、０．０１質量％以上、更に０．１質量％以上、更に１質量％以上、そして、１０質量％以下、更に５質量％以下、更に２質量％以下が好ましい。
また、漂白用液体組成物中の（Ｄ）成分の含有量は、０．０１質量％以上、更に０．１質量％以上、更に０．５質量％以上、更に質量１％以上が好ましく、そして、２５質量％以下、更に２０質量％以下、更に１０質量％以下、更に５質量％以下、更に３．５質量％以下が好ましい。
また、（Ｅ）成分を用いる場合、漂白用液体組成物中の（Ｅ）成分の含有量は、０．０１質量％以上、更に０．０５質量％以上、更に０．１質量％以上、更に０．２質量％以上含有することが好ましく、そして配合安定性を向上させる観点から、１０質量％以下、更に５質量％以下、更に２質量％以下、更に１質量％以下、更に０．５質量％以下含有することが好ましい。
また、（Ｆ）成分を用いる場合、漂白用液体組成物中の（Ｆ）成分の含有量は、０．０１質量％以上、更に０．１質量％以上、更に１質量％以上、更に２質量％以上、そして、３０質量％以下、更に１０質量％以下、更に５質量％以下が好ましい。
また、（Ｇ）成分を用いる場合、漂白用液体組成物中の（Ｇ）成分の含有量は、０．１質量％以上、更に１質量％以上、更に４質量％以上、そして、５０質量％以下、更に３０質量％以下、更に１５質量％以下が好ましい。
また、（Ｈ）成分を用いる場合、漂白用液体組成物中の（Ｈ）成分の含有量は、０．０１質量％以上、更に０．１質量％以上、更に０．１５質量％以上、そして、３０質量％以下、更に２０質量％以下、更に１０質量％以下、更に５質量％以下、更に１質量％以下、更に０．５質量％以下が好ましい。
【０１０５】
また、漂白用液体組成物のｐＨは、２０℃で、８以上１４未満が好ましい。このｐＨは、２０℃で、１０以上、更に１１以上、更に１２以上、そして、１３以下、更に１２．５以下であることが好ましい。
【０１０６】
漂白用液体組成物における各成分の含有量とｐＨは、本発明の酸化性組成物の使用時の各成分の含有量及びｐＨとして位置付けることができる。
【０１０７】
本発明は、
（Ａ）成分、（Ｂ）成分、（Ｃ）成分、（Ｄ）成分、及び水を混合して、（Ｂ）成分に対する（Ｄ）成分の質量比（Ｄ）／（Ｂ）が０．８０以上１０以下であり、２０℃でのｐＨが８以上１４未満である酸化性組成物を調製する第１のステップ、
第１のステップで調製された酸化性組成物を漂白対象物に接触させる第２のステップ、
を含む漂白方法を提供する。
第１のステップで、（Ｅ）成分、（Ｆ）成分、（Ｇ）成分、及び（Ｈ）成分から選ばれる成分を混合することができる。
【０１０８】
また、本発明は、
（Ａ）成分、及び水を含有する第１の液体組成物と、（Ｂ）成分、（Ｃ）成分、（Ｄ）成分及び水を含有する第２の液体組成物とを混合して、（Ａ）成分、（Ｂ）成分、（Ｃ）成分、（Ｄ）成分、及び水を含有し、（Ｂ）成分に対する（Ｄ）成分の質量比（Ｄ）／（Ｂ）が０．８０以上１０以下であり、２０℃でのｐＨが８以上１４未満である酸化性組成物を調製する第１のステップ、
第１のステップで調製された酸化性組成物を漂白対象物に接触させる第２のステップ、を含む漂白方法を提供する。
第１のステップで用いる第１の液体組成物と第２の液体組成物には、それぞれ、（Ｅ）成分、（Ｆ）成分、（Ｇ）成分、及び（Ｈ）成分から選ばれる成分を適宜混合することができる。
【０１０９】
これらの漂白方法では、酸化性組成物は前記した漂白用液体組成物であってよく、（Ａ）成分〜（Ｄ）成分の好ましい態様、酸化性組成物の好ましい態様、漂白用液体組成物の好ましい態様、第１の液体組成物、第２の液体組成物などは、何れも前述のものが適用できる。また、漂白方法は、カビ取り方法であってよい。
【０１１０】
本発明の酸化性組成物は、カビ取り剤組成物としての用途の他に、風呂・トイレ・台所等の硬質表面の漂白、衣類の漂白、汚れ・匂い原因物質の分解、除菌、パルプの漂白、繊維の精練などにも使用することが出来る。
【実施例】
【０１１１】
表１に示す組成の第１液及び第２液を調製し、両者を等量（体積比１：１）混合し、酸化性組成物であるカビ取り剤組成物を得た〔（Ａ）成分の含有量は過酸化水素としての量である。〕。第１液と第２液は、硫酸及び／又は水酸化ナトリウムを用いてｐＨを調整した。この組成物を使用し、下記の泡特性試験及びカビ汚れ洗浄試験を実施した。その結果を下記表１に示す。なお、第１液と第２液を等量混合したカビ取り剤組成物のｐＨ（２０℃）を表１に示した。また、第１液と第２液を等量混合した直後の組成物中の各成分の含有量は、表中の数値（質量％）の１／２となった。
【０１１２】
＜泡特性（泡比容）試験＞
表１に示す組成の第１液及び第２液各々１００ｍＬずつを十分に混合してから「カビとりハイター」（花王（株）製）のトリガー吐出容器に充填し、直ちに室温（２０℃）条件で１００ｍＬメスシリンダー内に上方から１０回スプレーした。スプレー直後の泡体積と吐出した組成物の質量から単位量当たりの泡体積（泡比容）を算出した。
【０１１３】
【数１】
0006639099.tif 000004
【０１１４】
＜カビ汚れ洗浄試験＞
クラドスポリウム（Cladosporium）属細菌を素焼きタイルに接種し、温度３０℃、湿度１００％ＲＨで９０日間培養したものをカビ発生タイルとし、漂白性能を比較した。
【０１１５】
カビ発生タイルに上記カビ取り剤組成物を２０μｌ滴下し、直径約１ｃｍとし、２５℃で２０分放置後、水洗、風乾した後、色差計（日本電色工業製ＳＥ６０００）を用いて明度（Ｌ）値を測定し、次式により漂白率を算出した。
【０１１６】
【数２】
0006639099.tif 000005
【０１１７】
【表１】
0006639099.tif 000006
【０１１８】
表中の成分は以下のものである。
・ポリオキシエチレンアルキルエーテル：アルキル基の炭素数１２、エチレンオキサイドが平均８モル付加したポリオキシエチレンアルキルエーテル、花王（株）、エマルゲン５０８Ｋ
・Ｂ−１：アルキル（炭素数１２）ジメチルベンジルアンモニウムクロライド、花王（株）、サニゾールＣ
・Ｂ−２：アルキル（炭素数１４）Ｎ，Ｎ−ジメチルーＮ−エチルアンモニウムエチルサルフェイト、花王（株）、コータミン４０ＥＳ
・カプリン酸：ルナック１０−９８、花王株式会社
【０１１９】
表１の結果から、（Ａ）成分、（Ｂ）成分、（Ｃ）成分及び（Ｄ）成分を組み合わせ、所定のｐＨとすることで、泡特性と漂白率が大幅に向上することがわかった。